(57)【要約】【課題】防食リングによる流体管の管端面の防食処理作業を短時間で行いうるとともに、防食リングの防食部の管端面への押し付け力を大として、防食効果を高めうるようにした防食リングを提供すること。【解決手段】磁性材からなる流体管３の管端面３ｂを押圧して防食する防食部１５と、防食部１５を管端面３ｂとで保持する保持部１６とを有する環状の防食リング５であって、流体管３の管端面３ｂと対向する保持部１６に、磁力により防食部１５を管端面３ｂ側に押圧する永久磁石１８を設ける。【選択図】図５
2014058992.tif 000002
【特許請求の範囲】
【請求項１】
磁性材からなる流体管の管端面を押圧して防食する防食部と、該防食部を前記管端面とで保持する保持部とを有する環状の防食リングであって、
前記流体管の管端面と対向する保持部に、磁力により前記防食部を管端面側に押圧する永久磁石を設けたことを特徴とする防食リング。
【請求項２】
前記防食部の管軸方向の厚さを、外径側から内径側に向かって漸次小としたことを特徴とする請求項１に記載の防食リング。
【請求項３】
前記永久磁石をリング状としたことを特徴とする請求項１または２に記載の防食リング。
【請求項４】
前記永久磁石を、該永久磁石の内径側が前記管端面と近づくように傾斜させたことを特徴とする請求項３に記載の防食リング。
【請求項５】
リング状とした少なくとも２個の前記永久磁石を、前記保持部の径方向に並設し、内径側の永久磁石の磁力を、外径側の永久磁石の磁力よりも大としたことを特徴とする請求項３または４に記載の防食リング。
【請求項６】
前記永久磁石を複数個として、前記保持部の円周方向に所定間隔おきに点在させて設けたことを特徴とする請求項１または２に記載の防食リング。
【請求項７】
前記永久磁石を、合成樹脂により形成した前記保持部の内部に、インサート成形により埋設したことを特徴とする請求項１ないし６のいずれかに記載の防食リング。
【請求項８】
前記防食部と前記保持部との間に、前記管端面との対向面を内径側から外径方向に向かって漸次管端面から遠ざかる傾斜面とした、前記防食部を押圧する押圧部を設けたことを特徴とする請求項１ないし７のいずれかに記載の防食リング。
【発明の詳細な説明】
【技術分野】
【０００１】
本発明は、磁性材からなる流体管の管端面を押圧して防食する防食部と、該防食部を前記管端面とで保持する保持部とを有する環状の防食リングに関する。
【背景技術】
【０００２】
例えば特許文献１には、一方の管体（流体管）の端部に外嵌可能なリング本体と、このリング本体の一端部内周縁から内径方向に形成された内向突片とを備える防食リングにおける前記内向突片の管体の先端面（管端面）と対向する側の面に、ゴム系接着剤を接着し、この接着剤を管体の先端面に接着することにより、この先端面を防食するようにしたものがある。
【０００３】
また、特許文献２には、一方の流体管の挿口部に、この挿口部の管端面を押圧して防食する防食部と、この防食部を保持する保持部とを有する環状の防錆部材（防食リング）を、それに形成された挿口部方向を向く延設部を外嵌することにより装着し、この延設部の内径側に突設した係合部を、挿口部の外周面の被係合部に係合させることにより、挿口部の管端面の防食を行うようにした管継手が開示されている。
【先行技術文献】
【特許文献】
【０００４】
【特許文献１】実開平７−２２１９８号公報（第５頁、図１、図２）
【特許文献２】特開２０１２−３７０４２号公報（第６頁、図３）
【発明の概要】
【発明が解決しようとする課題】
【０００５】
上記特許文献１に記載されている防食リングにおいては、ゴム系接着剤が乾燥するまで、管体の先端面に防食リングを装着することができないので、管継手の施工等を行う現場での作業効率が低下するという問題がある。
【０００６】
一方、特許文献２に記載されている管継手においては、防錆部材を挿口部に外嵌して、管端面を防食部により押圧するのみであるので、挿口部の管端面に短時間で防錆部材を装着しうる利点がある。しかしながら、一方で防食部の管端面への押し付け力が弱いという問題がある。
【０００７】
本発明は、このような課題に着目してなされたもので、防食リングによる流体管の管端面の防食処理作業を短時間で行いうるとともに、防食リングの防食部の管端面への押し付け力を大として、防食効果を高めうるようにした防食リングを提供することを目的としている。
【課題を解決するための手段】
【０００８】
上記課題を解決するために、本発明の防食リングは、
磁性材からなる流体管の管端面を押圧して防食する防食部と、該防食部を前記管端面とで保持する保持部とを有する環状の防食リングであって、
前記流体管の管端面と対向する保持部に、磁力により前記防食部を管端面側に押圧する永久磁石を設けたことを特徴としている。
この特徴によれば、防食リングを流体管の管端面に外嵌するだけの簡単な作業で、防食部を、永久磁石の磁力により管端面に強く密着させて、管端面の防食効果を高めることができるので、流体管の施工現場での防食処理作業を短時間で効率よく行うことができる。
【０００９】
本発明の防食リングは、
前記防食部の管軸方向の厚さを、外径側から内径側に向かって漸次小としたことを特徴としている。
この特徴によれば、防食部は、内径側ほど、管端面方向に弾性変形し易くなり、防食部は管端面に強く密着するので、流体が管端面に浸入するのが確実に防止される。
【００１０】
本発明の防食リングは、
前記永久磁石をリング状としたことを特徴としている。
この特徴によれば、磁力が管端部の円周方向に均一となるので、防食部を管端面に均一な押圧力で押し付けることができる。
【００１１】
本発明の防食リングは、
前記永久磁石を、該永久磁石の内径側が前記管端面と近づくように傾斜させたことを特徴としている。
この特徴によれば、保持部の内径側ほど、永久磁石の磁力が大となり、防食部の内径側が、管端面に強く押し付けられるので、流体の管端面への浸入防止効果が高まる。
【００１２】
本発明の防食リングは、
リング状とした少なくとも２個の前記永久磁石を、前記保持部の径方向に並設し、内径側の永久磁石の磁力を、外径側の永久磁石の磁力よりも大としたことを特徴としている。
この特徴によれば、防食部の内径側が、管端面に強く押し付けられるので、流体の管端面への浸入防止効果が高まる。
【００１３】
本発明の防食リングは、
前記永久磁石を複数個として、前記保持部の円周方向に所定間隔おきに点在させて設けたとを特徴としている。
この特徴によれば、大口径の管端面を有する流体管に適用する際に、リング状とした永久磁石に比して、その原材料を節約しうるので、コスト低減が図れる。
【００１４】
本発明の防食リングは、
前記永久磁石を、合成樹脂により形成した前記保持部の内部に、インサート成形により埋設したことを特徴としている。
この特徴によれば、合成樹脂により保持部を形成するのと同時に、インサート成形により永久磁石を容易に埋設することができる。
【００１５】
本発明の防食リングは、
前記防食部と前記保持部との間に、前記管端面との対向面を内径側から外径方向に向かって漸次管端面から遠ざかる傾斜面とした、前記防食部を押圧する押圧部を設けたことを特徴としている。
この特徴によれば、防食部が磁力により圧縮されても、押圧部の傾斜面が、防食部が管端面より内径側に流動するのを規制するので、流体管の内周面に防食部がはみ出すのを防止することができる。
【図面の簡単な説明】
【００１６】
【図１】本発明の実施例１に係る防食リングの分解断面図である。
【図２】同じく、防食リングの正面図である。
【図３】図２のＩＩ−ＩＩ線に沿う縦断側面図である。
【図４】防食リングの管端面への装着前の拡大断面図である。
【図５】同じく、装着後の拡大断面図である。
【図６】流体管の受口部への挿口部の挿入前の断面図である。
【図７】同じく、受口部への挿口部の挿入後の断面図である。
【図８】実施例２における防食リングの断面図である。
【図９】実施例３における防食リングの断面図である。
【図１０】（ａ）は、実施例４における防食リングの断面図であり、（ｂ）は、同じく一部正面図である。
【図１１】実施例５における防食リングの断面図である。
【図１２】実施例６における防食リングの断面図である。
【発明を実施するための形態】
【００１７】
本発明に係る防食リングの実施形態を、以下の実施例に基づいて説明する。
【実施例１】
【００１８】
実施例１に係る防食リングにつき、図１から図７を参照して説明する。図１に示すように、本実施例の流体管２、３は、例えば、上水道用として地中に埋設される磁性材であるダクタイル鋳鉄製であり、断面視略円形状に形成され、内周面がモルタル層７で被覆されている。尚、本発明に係る流体管は、その他鋳鉄、鋼等の磁性材である金属製であってもよい。更に尚、流体管の内周面はモルタル層に限らず、例えばエポキシ樹脂等により被覆されてもよく、若しくは適宜の材料を粉体塗装により流体管の内周面に被覆してもよい。また、本実施例では流体管内の流体は上水であるが、本実施例の上水に限らず、例えば工業用水や農業用水、下水等の他、ガスやガスと液体との気液混合体であっても構わない。
【００１９】
また、流体管２、３のほぼ全周には、図４に示すように、鋳造工程において多数の凹溝６が管軸Ｃ方向に沿って形成されており（流体管２側は図示略）、流体管２、３の外周面には、防食塗料（図示略）が塗布され、この防食塗料が多数の凹溝６に入り込んで溜まることにより、外周面の防食効果が大となるようにしてある。尚、後述のように防食リング５が取り付けられる一方の流体管３が磁性材からなる金属製であればよく、受口部２ａが形成された流体管２は、上記したように磁性材からなる金属製であってもよいし、若しくは磁性材以外の材料、例えば、石綿、コンクリート製、塩化ビニール、ポリエチレン若しくはポリオレフィン製等であってもよい。
【００２０】
図１は、本発明の実施例１に係る管継手１の分解断面図を示すもので、この管継手１は、管軸Ｃ方向の先端部に受口部２ａが形成された流体管２と、同じく管軸Ｃ方向の先端部に、受口部２ａ内に挿入される挿口部３ａが形成された流体管３と、弾性を有し、受口部２ａと挿口部３ａとの間から流体が漏出するのを防止するシール部材４と、挿口部３ａの管端面３ｂを防食する防食リング５とを備えている。
【００２１】
受口部２ａにおける先端部の内周面２ｂの内径は、流体管３の挿口部３ａの外径よりも大径とされている。また、受口部２ａの先端部には、管軸Ｃ方向に開口する凹部８が、受口部２ａの周方向に複数形成され、各凹部８内には、管軸Ｃ方向の端部に尖鋭刃９ａを有する金属材よりなる固定爪９が嵌合されている。
【００２２】
更に、受口部２ａの先端部には、上記凹部８と連通する雌ねじ孔１０が、周方向に複数形成され、各雌ねじ孔１０には、固定爪９を管軸Ｃ方向に押圧可能なボルト１１が螺合されている。受口部２ａの内周面における凹部８よりも若干奥側には、シール部材４の後述する嵌合部４ａが嵌合される環状溝１２が設けられている。また、受口部２ａの内周面２ｂよりも奥側には、流体管２の中心に向かってほぼ垂直をなす環状の段差面１３が、上記内周面２ｂと受口部２ａの先端部の内径よりも小径の内周面１４とに連通するようにして形成されている。
【００２３】
図１及び図６に示すように、シール部材４は、受口部２ａの環状溝１２に嵌合される嵌合部４ａと、受口部２ａの内周面２ｂとこの受口部２ａ内に挿入される挿口部３ａの外周面との間隙を水密的に密封するバルブ部４ｂとを有している。
【００２４】
防食リング５は、図２〜図５に拡大して示すように、挿口部３ａの管端面３ｂを全周に亘って防食する防食部としての防食材１５と、この防食材１５を挿口部３ａとの間で保持する保持部１６と、防食材１５の外側面を管端面３ｂ方向に押圧する押圧部１７と、保持部１６における管端面３ｂとの対向部に埋設された薄板リング状の永久磁石（以下、磁石と略称する）１８とを備え、保持部１６は、ポリプロピレン等の弾性を有する合成樹脂材により、正面視環状をなすように形成されている。尚、保持部の材質は、例えばポリカーボネート、ポリアセタール、ウレタン樹脂等の軟質樹脂材、あるいはステンレス等の金属により構成されてもよい。
【００２５】
保持部１６は、挿口部３ａに外嵌される円筒形の嵌合片１６ａと、この嵌合片１６ａにおける流体管２側の端面より内径方向に向かって略垂直に延出し、挿口部３ａの管端面３ｂと対向する保持片１６ｂとからなり、ほぼＬ字形の縦断面形状とされている。保持片１６ｂの径方向の寸法は、挿口部３ａにおけるモルタル層７を含む肉厚よりも若干小とされている。
【００２６】
嵌合片１６ａは、挿口部３ａ方向に向かって漸次縮径するテーパーに形成され、その内周面には、管軸Ｃ方向に離間する２条の係合突部１９、１９が突設されている。尚、この係合突部１９、１９は、嵌合片１６ａを挿口部３ａに外嵌した際に、挿口部３ａの外周面に形成した凹溝６に弾性係合して、防食リング５を抜止めするものであるが、後述するように、防食リング５は、永久磁石１８により挿口部３ａ方向に常時押圧されるので、係合突部１９は省略することもあるし、あるいは、係合突部を複数設けて流体管の外周面への係合力を高めるようにしても構わない。
【００２７】
保持片１６ｂは、嵌合片１６ａよりも厚肉に形成され、その内部に、上述した永久磁石１８が、挿口部３ａの管端面３ｂと対向するようにして、インサート成形により埋設されている。本実施例では、永久磁石１８に強力な磁力を有するネオジム磁石を用いている。尚、永久磁石１８の径方向の寸法は、挿口部３ａの管端面３ｂの厚さよりも若干大とされている。
【００２８】
防食材１５は、本実施例では、低反発弾性材、例えば粘着力を有するブチルゴムにより形成され、外径が嵌合片１６ａの基端部の内径とほぼ等しい基片１５ａと、この基片１５ａの内周面から管軸Ｃ側に向かって延出する、管軸Ｃ方向の厚さを外径側から内径側に向かって漸次小とした当接片１５ｂとからなっている。基片１５ａを、接着剤等により嵌合片１６ａの基端部の内周面に接着することにより、防食材１５は防食リング５の内周面に固定されている。また、基片１５ａは、その自己の粘着力から接着材を用いずに、嵌合片１６ａの基端部内周面に取り付けても良い。尚、防食材１５の径方向の寸法は、保持片１６ｂのそれよりも若干短寸としてある。更に尚、防食材１５は、本実施例では、ブチルゴムにより形成されているが、防食材の材質は、例えば天然ゴム、ウレタンゴム等の弾性体、軟質塩ビ、スチレン系、オレフィン系等の軟質樹脂や、パテ、エポキシ樹脂系の接着材でもよい。
【００２９】
押圧部１７は、スチレン系のエラストマーにより形成され、管端面３ｂと対向する対向面は、内径側から外径方向に向かって漸次管端面３ｂから遠ざかる傾斜面１７ａとされ、これにより押圧部１７の管軸Ｃ方向の厚さは、外径方向に向かうにしたがって漸次小さくなっている。押圧部１７は、その外周端部を、保持部１６の保持片１６ｂと防食材１５の当接片１５ｂとの間の隙間に挟入するようにして、保持片１６ｂの内側面に、内径側の端面同士を整合させて一体成形されている。また、この際の成形は、インサート成形や二色成形によりなされてもよいし、あるいは接着剤等により固定されてもよい。
【００３０】
次に、上記実施例の防食リング５を用いて、流体管２、３同士を接続する要領を説明する。
【００３１】
まず、図１、図４及び図５に示すように、防食リング５を流体管３の管軸Ｃ上に配置し、保持部１６の保持片１６ｂを挿口部３ａの管端面３ｂと対向させたのち、保持部１６の嵌合片１６ａを拡径方向に弾性変形させながら、挿口部３ａに外嵌して、防食材１５の当接片１５ｂを管端面３ｂに当接させる。
【００３２】
このようにして、嵌合片１６ａを挿口部３ａに外嵌すると、嵌合片１６ａの内周面に突設した２条の係合突部１９が、挿口部３ａの外周面の多数の凹溝６のいずれかに弾性的に係合することにより、挿口部３ａに対し防食リング５が抜止めされるとともに、管軸Ｃ方向に位置決めされる。また、これと同時に、保持部１６における保持片１６ｂに埋設した永久磁石１８が、管端面３ｂと対向し、防食リング５全体は、永久磁石１８の磁力により挿口部３ａ方向に押圧される。その結果、防食材１５が管端面３ｂに押し付けられて強く密着するため、管端面３ｂに流体が浸入する虞はなくなる。従って、挿口部３ａの切断後において管端面３ｂに防食処理を施さなくても、管端面３ｂの防食効果を高めることができる。特に、防食材１５の当接片１５ｂの管軸Ｃ方向の厚さを、外径側から内径側に向かって漸次小としてあるので、当接片１５ｂの内径側ほど、管端面３ｂ方向に弾性変形し易くなり、管端面３ｂと強く密着するようになるので、流体が管端面３ｂに浸入するのが確実に防止される。
【００３３】
また、押圧部１７における管端面３ｂとの対向面を、内径側から外径方向に向かって漸次管端面３ｂから遠ざかる傾斜面１７ａとしてあるので、防食材１５の当接片１５ｂが磁力により圧縮されても、管端面３ｂより内径側に流動して、挿口部３ａの内周面にはみ出すのを防止することができる。
【００３４】
次いで、図６及び図７に示すように、シール部材４の嵌合部４ａを、流体管２における受口部２ａの環状溝１２に嵌合した後、防食リング５を装着した挿口部３ａを、受口部２ａに、その段差面１３と当接するまで挿入し、シール部材４のバルブ部４ｂを弾性変形させて圧縮することにより、挿口部３ａの外周面と受口部２ａの内周面２ｂとの間を密封する。
【００３５】
最後に、図７に示すように、複数のボルト１１を締め込み、固定爪９の尖鋭刃９ａを挿口部３ａの外周面に食い込ませることにより、挿口部３ａは受口部２ａ内に固定され、流体管２と３との接続が完了する。この接続後において流体管２、３に流体を流しても、上述したように、挿口部３ａの管端面３ｂには、防食リング５の防食材１５が、永久磁石１８の磁力により強く密着しているので、流体が管端面３ｂに流入する虞はない。
【００３６】
以上説明したように、上記実施例の管継手１においては、防食リング５を挿口部３ａに外嵌するだけの簡単な作業で、防食材１５を、永久磁石１８の磁力により管端面３ｂに強く密着させて、管端面３ｂの防食効果を高めることができるので、管継手１の施工現場での防食処理作業を短時間で効率よく行うことができる。
【００３７】
また、永久磁石１８は、保持部１６の保持片１６ｂ内に埋設されているので、流体が化学薬品等であっても、永久磁石１８が腐食したり、経時劣化したりする虞はない。しかも、永久磁石１８は、合成樹脂により保持部１６を形成するのと同時に、インサート成形により容易に埋設することができる。
【００３８】
更に、永久磁石１８をリング状としてあるので、磁力が円周方向に均一となり、従って防食材１５を管端面３ｂに均一な押圧力で押し付けることができる。
【００３９】
防食材１５の当接片１５ｂの管軸Ｃ方向の厚さを、外径側から内径側に向かって漸次小としてあるので、当接片１５ｂの内径側ほど、管端面３ｂ方向に弾性変形し易くなり、管端面３ｂに強く密着するので、流体が管端面３ｂに浸入するのが確実に防止される。
【実施例２】
【００４０】
次に、実施例２に係る防食リングを、図８を参照して説明する。尚、以下の各実施例においては、防食リング５以外の各部材は、前記実施例１と共通であるので、それらの説明は省略する。
【００４１】
この実施例の防食リング５は、前記実施例１と同様のリング状の永久磁石１８’を、内径側が管端面３ｂと近づくように傾斜させて、保持部１６の保持片１６ｂ内に埋設したものである。このようにすると、永久磁石１８の内径側ほど、磁力が大となり、防食材１５の内径側が、押圧部１７を介して管端面３ｂに強く押し付けられるので、流体の管端面３ｂへの浸入防止効果が高まる。
【実施例３】
【００４２】
図９は、実施例３に係る防食リング５を示すもので、この実施例では、磁力の強弱の異なるリング状の２個の永久磁石２０、２１を、保持片１６ｂ内に、磁力の弱い弱磁石２０を外径側に、弱磁石２０よりも磁力の強い強磁石２１を内径側に位置するようにして、径方向に並べて埋設したものである。このようにすると、実施例２と同様に、防食材１５の内径側が、押圧部１７を介して管端面３ｂに強く押し付けられるので、流体の管端面３ｂへの浸入防止効果が高まる。
【実施例４】
【００４３】
図１０の（ａ）、（ｂ）は、実施例４に係る防食リング５を示すもので、この実施例では、円形をなす複数の円形磁石２２を、保持片１６ｂ内に、円周方向に一定間隔おきに点在させて埋設したものである。このようにすると、特に、高価なネオジム磁石を用いたり、大口径の挿口部３ａを有する管継手に適用したりする際に、リング状とした永久磁石１８に比して、その原材料を節約しうるので、コスト低減が図れる。尚、円形磁石２２は、円形以外の形状としてもよいことは勿論である。
【実施例５】
【００４４】
図１１は、実施例５に係る管継手の防食リング５を示すもので、この実施例では、前記実施例１の永久磁石１８よりも径方向の寸法を短寸としたリング状の短寸磁石２３を、保持片１６ｂにおける内径側に偏位させて埋設したものである。このようにすると、実施例４と同様に、磁石の原材料を節約しうるので、コスト低減が図れる。また、当接片１５ｂの内径側が短寸磁石２３により押圧されるので、流体が管端面３ｂに浸入する虞はない。
【実施例６】
【００４５】
図１２は、実施例６に係る管継手の防食リング５を示すもので、この実施例では、管軸Ｃ方向の厚さを、外径側から内径側に向かって漸次小としたリング状をなす楔形磁石２４を、保持片１６ｂ内に埋設したものである。このようにすると、実施例４と同様に、磁石の原材料を節約しうるので、コスト低減が図れる。
【００４６】
尚、楔形磁石２４は、特に図示しないが、管軸Ｃ方向の厚さを、外径側から内径側に向かって漸次大としたリング状をなすようにしてもよい。このようにすると、永久磁石１８の内径側ほど、磁力が大となり、防食材１５の内径側が、押圧部１７を介して管端面３ｂに強く押し付けられるので、流体の管端面３ｂへの浸入防止効果が高まる。また、楔形磁石２４の断面形状は楔形でなくとも、例えば台形や三角形等であってもよい。
【００４７】
以上、本発明の実施例を図面により説明してきたが、具体的な構成は前記実施例に限定されるものではなく、本発明の要旨を逸脱しない範囲内における変形や追加があっても、本発明に含まれる。
【００４８】
例えば、前述の各実施例では、防食材１５を、エラストマーよりなる押圧部１７を介して、管端面３ｂに押圧するようにしたが、押圧部１７を省略して、防食材１５を保持片１６ｂにより直接押圧するようにしてもよい。この際には、防食材１５を、保持片１６ｂの内側面に接着剤等により固定すればよい。
【００４９】
また、前述の各実施例では、永久磁石１８、１８’、２０、２１、２２、２３、２４を、保持片１６ｂ内に埋設したが、厚さを小とした保持片１６ｂの外側面または内側面に、接着剤等により固着してもよい。
【００５０】
更に、前述の各実施例では、防食リング５の保持部１６を合成樹脂により、押圧部１７をエラストマーにより、それぞれ形成したが、それらを、金属等の磁性材や、その他の透磁性を有する材料により形成してもよい。
【００５１】
更に、前述の各実施例では、防食リングの防食部である防食材１５、保持部１６そして押圧部１７をそれぞれ別々の材料で形成したが、防食部、保持部、そして押圧部のうち任意の２つを同一材料で一体に形成してもよいし、また、これ等防食部、保持部、そして押圧部の全てを同一材料で一体に形成してもよい。
【符号の説明】
【００５２】
１                管継手
２                流体管
２ａ              受口部
３                流体管
３ａ              挿口部
３ｂ              管端面
４                シール部材
５                防食リング
９                固定爪
１５              防食材（防食部）
１５ａ            基片
１５ｂ            当接片
１６              保持部
１６ａ            嵌合片
１６ｂ            保持片
１７              押圧部
１７ａ            傾斜面
１８，１８’      永久磁石
１９              係合突部
２０              弱磁石（永久磁石）
２１              強磁石（永久磁石）
２２              円形磁石（永久磁石）
２３              短寸磁石（永久磁石）
２４              楔形磁石（永久磁石）
【図１】
2014058992.tif 000003
【図２】
2014058992.tif 000004
【図３】
2014058992.tif 000005
【図４】
2014058992.tif 000006
【図５】
2014058992.tif 000007
【図６】
2014058992.tif 000008
【図７】
2014058992.tif 000009
【図８】
2014058992.tif 000010
【図９】
2014058992.tif 000011
【図１０】
2014058992.tif 000012
【図１１】
2014058992.tif 000013
【図１２】
2014058992.tif 000014